(57)【要約】      （修正有）【課題】  警備会社との専用回線の使用によるメンテナンス費用を軽減することができる共同住宅のセキュリティシステム及び方法を提供する。【解決手段】  共同住宅の各世帯に設けられたサブコントローラーは、センサーに連結されて、センサーにより異常現象が感知された時、異常信号を発生しメインコントローラーに伝達して、メインコントローラーをインターネットと連結したゲートウェイを通じて異常信号をメインサーバーに伝送する。メインサーバーは、インターネットを通じて伝送された異常信号を基に、異常現象の感知された世帯が加入されている警備会社のＰＣ、異常現象が感知された世帯居住者の携帯電話、ＰＣの少なくとも一つにインターネットを通じて異常現象を知らせる。【選択図】        図１
2006031712.tif 000002
【特許請求の範囲】
【請求項１】
インターネットを通じた共同住宅のセキュリティーシステムであって、
前記共同住宅の各世帯に設けられて、センサーに連結され、前記センサーからの出力値が所定値を超えると異常現象が発生したと判断し、異常信号を発生するサブコントローラーと、
前記サブコントローラーに連結され、前記異常信号を受信するメインコントローラーと、
前記メインコントローラーをインターネットに連結するためのゲートウェイ、及び
前記インターネットを通じて伝送された前記異常信号を基に、前記異常現象の発生した世帯が加入されている警備会社のＰＣ、前記異常現象が発生した世帯居住者の携帯電話、及び前記異常現象が発生した世帯居住者のＰＣの少なくとも一つにインターネットを通じて前記異常現象を知らせるメインサーバーを含み、 
共用部出入り口にカードリーダーを設け、建物内全ての鍵をＲＦＩＤカードで施開錠することを特徴とするシステム。
【請求項２】
前記サブコントローラーに連結されるデジタルドアロックをさらに含むこととし、前記デジタルドアロックは前記 サブコントローラーよりロック開錠されることを特徴とする、請求項１に記載のシステム。
【請求項３】
前記デジタルドアロックは、暗証番号及びＲＦＩＤカードによりロックまたはロック解除されることを特徴とする、請求項２に記載のシステム。
【請求項４】
前記デジタルドアロックは、前記サブコントローラー、前記メインコントローラー、前記ゲートウェイを通じて、前記メインサーバーに前記デジタルドアロックのロック状態情報が貯蔵され、前記外出した居住者が外部から携帯電話またはＰＣにより前記メインサーバーに接続し、前記デジタルドアロックのロック状態情報を確認することができるようになっていることを特徴とする、請求項３に記載のシステム。
【請求項５】
前記デジタルドアロックは、所定ボタンをワンタッチで押すことにより、外出警戒モードが設定及び解除されることを特徴とする、請求項４に記載のシステム。
【請求項６】
前記異常現象は、ガス漏出、火災、または不審者の侵入であることを特徴とする、請求項１に記載のシステム。
【請求項７】
前記サブコントローラーは、ビデオドアホンであることを特徴とする、請求項１、２、または４のいずれか一つの項に記載のシステム。
【請求項８】
前記メインコントローラーは、前記共同住宅の共用玄関に設けられたロビーホンであることを特徴とする、請求項１または４に記載のシステム。
【請求項９】
前記ゲートウェイは、前記共同住宅の共用部に設けられることを特徴とする、請求項１または４に記載のシステム。
【請求項１０】
前記ゲートウェイはＶＰＮ機能を持ち、インターネット上のセキュリティー性を独自に確保していることを特徴とする、請求項１または４に記載のシステム。
【請求項１１】
インターネットを通じた共同住宅のセキュリティー方法であって、
(i)共同住宅の各世帯に設けられたサブコントローラーは、センサーに連結されて、前記センサーにより異常現象が感知された時、異常信号を発生してメインコントローラーに伝達する段階、
(ii)前記メインコントローラーをインターネットと連結したゲートウェイを通じて前記異常信号をメインサーバーに伝送する段階、及び
(iii)前記メインサーバーは、前記インターネットを通じて伝送された前記異常信号を基に、前記異常現象の感知された世帯が加入されている警備会社のＰＣ、前記異常現象が感知された世帯居住者の携帯電話、及び前記異常現象が感知された世帯居住者のＰＣの少なくとも一つにインターネットを通じて前記異常現象を知らせる段階、を含むことを特徴とする方法。
【請求項１２】
前記異常現象は、前記携帯電話またはＰＣにEメールの形で伝送されることを特徴とする、請求項１1に記載の方法。
【請求項１３】
デジタルドアロック及び共用部カードリーダーのＲＦＩＤカード及び暗証番号の認証登録/抹消を入居者または管理者が遠隔操作にて行えることを特徴とする 共同住宅のセキュリティー方法。
【発明の詳細な説明】
【技術分野】
【０００１】
本発明は、セキュリティーシステム及び方法に関するもので、特にインターネットを通じた共同住宅のセキュリティーシステム及び方法に関するものである。
【背景技術】
【０００２】
従来の共同住宅(例えば、マンション、アパートなど)のセキュリティーシステムにおいては、不審者の進入、ガスの漏出、火災などのような異常現象がセンサーにより感知されると、専用回線を通じて管制室に非常状況が受け付けられる。そして、状況を受け付けた管制室は、事件発生現場の近所を巡回している車両に連絡を取って措置し、必要に応じては、警察署、消防署などに連絡をして対応する。
【０００３】
しかしながら、このような従来のシステムにおいては、各種センサーによる異常信号の発生を、専用回線を通じて警備会社の管制室に非常状況が受け付けられているため、警備会社との専用回線の使用によるメンテナンス費用及び警備会社の管制室設営費用がたくさん掛かってしまうという問題点がある。
【発明の開示】
【発明が解決しようとする課題】
【０００４】
上述のような問題点を解決するために、本発明は、共同住宅に設けられている各種センサーにより異常信号が感知された時、インターネットを通じて警備会社に知らせることにより、警備会社との専用回線の使用によるメンテナンス費用を軽減することができることと、管制室を簡易に構築出来るセキュリティーシステム及び方法を提供することを目的とする。
【課題を解決するための手段】
【０００５】
前記目的を達成するために、本発明によるインターネットを通じた共同住宅のセキュリティーシステムは、前記共同住宅の各世帯に設けられて、センサーに連結され、前記センサーからの出力値が所定値を超えると異常現象が発生したと判断し、異常信号を発生するサブコントローラー、前記サブコントローラーに連結され、前記異常信号を受信するメインコントローラー、前記メインコントローラーをインターネットに連結するためのゲートウェイ、及び前記インターネットを通じて伝送された前記異常信号を基に、前記異常現象の発生した世帯が加入されている警備会社のＰＣ、前記異常現象が発生した世帯居住者の携帯電話、及び前記異常現象が発生した世帯居住者のＰＣの少なくとも一つにインターネットを通じて前記異常現象を知らせるメインサーバーを含み、共用部出入り口にカードリーダーを設け、建物内全ての鍵をＲＦＩＤカードで施開錠することを特徴とする。
【０００６】
また、前記サブコントローラーに連結されるデジタルドアロックをさらに含むこととし、前記デジタルドアロックは前記 サブコントローラーよりロック開錠されることを特徴とする。
【０００７】
また、前記デジタルドアロックは、暗証番号及びＲＦＩＤカードによりロックまたはロック解除される。
【０００８】
また、前記デジタルドアロックは、前記サブコントローラー、前記メインコントローラー、前記ゲートウェイを通じて、前記メインサーバーに前記デジタルドアロックのロック状態情報が貯蔵され、前記外出した居住者が外部から携帯電話またはＰＣにより前記メインサーバーに接続し、前記デジタルドアロックのロック状態情報を確認することができる。
【０００９】
また、前記デジタルドアロックは、所定ボタンをワンタッチで押すことにより、外出警戒モードが設定及び解除される。
【００１０】
また、前記異常現象は、ガス漏出、火災、または不審者の侵入である。
【００１１】
また、前記サブコントローラーは、ビデオドアホンであることを特徴とする。
【００１２】
また、前記メインコントローラーは、前記共同住宅の共用玄関に設けられたロビーホンであることを特徴とする。
【００１３】
また、前記ゲートウェイは、前記共同住宅の共用部に設けられることを特徴とする。
【００１４】
また、前記ゲートウェイはＶＰＮ機能を持ち、インターネット上のセキュリティー性を独自に確保していることを特徴とする。
【００１５】
本発明によるインターネットを通じた共同住宅のセキュリティー方法は、(i)共同住宅の各世帯に設けられたサブコントローラーは、センサーに連結されて、前記センサーにより異常現象が感知された時、異常信号を発生してメインコントローラーに伝達する段階、(ii)前記メインコントローラーをインターネットと連結したゲートウェイを通じて前記異常信号をメインサーバーに伝送する段階、及び(iii)前記メインサーバーは、前記インターネットを通じて伝送された前記異常信号を基に、前記異常現象の感知された世帯が加入されている警備会社のＰＣ、前記異常現象が感知された世帯居住者の携帯電話、及び前記異常現象が感知された世帯居住者のＰＣの少なくとも一つにインターネットを通じて前記異常現象を知らせる段階を含むことを特徴とする。
【００１６】
また、前記異常現象は、前記携帯電話またはＰＣにEメールの形で伝送されることを特徴とする。
【００１７】
また、デジタルドアロック及び共用部カードリーダーのＲＦＩＤカード及び暗証番号の認証登録/抹消を入居者または管理者が遠隔操作にて行えることを特徴とする。
【発明の効果】
【００１８】
上述したように、本発明によると、各種センサーにより異常信号が感知された時、専用回線の代わりに、インターネットを通じて警備会社に異常現象を知らせることができるため、専用回線の使用によるセキュリティーシステムのメンテナンス費用を低減することができる。
【００１９】
また、各世帯の玄関のドアに設けられたデジタルドアロックが全セキュリティーシステムと連動できるように連結されているため、外出時、ドアロック/解除時間を携帯電話またはＰＣを利用して外部から確認することができる。
【発明を実施するための最良の形態】
【００２０】
以下、図面を参照し、本発明の好ましい実施形態について説明する。
【００２１】
図１は、本発明の第１の実施形態によるインターネットを通じた共同住宅のセキュリティーシステムの構成図である。図２は、図１に示したセキュリティーシステムに使用されるセキュリティー方法の流れ図である。図３は、本発明の第２の実施形態によるホームオートメーション機能付セキュリティーシステムの構成図である。
【００２２】
(第１の実施形態)
図１に示したように、本発明では、共同住宅を大きく三つの領域、即ち、各世帯領域１００、共同領域２００、保安領域３００に分けて説明する。
【００２３】
まず、各世帯領域１００は、理解し易くするために、共同住宅の多数の世帯の中で一世帯のみを示したものであって、玄関のドア(図示せず)には、ドアベルカメラ１３０とデジタルドアロック１４０が設けられており、これら(即ち、ドアベルカメラ１３０とデジタルドアロック１４０)は、家の中に設けられたサブコントローラー(ビデオドアホン)１２０に連結されている。また、このサブコントローラー１２０には、ガス感知センサー１６０、熱感知センサー１６１、窓感知センサー１６２などの各種保安用センサーが連結されている。
【００２４】
次に、共同領域２００は、共同住宅の共用玄関を意味し、この共同領域２００には、各世帯ごとに設けられているサブコントローラー１２０に連結されたメインコントローラー(ロビーホン)２２０が設けられていて、各世帯の宅配物を保管するための宅配BOX２４０(もちろん、図面の宅配BOXは、宅配BOXを制御する宅配BOX制御部を意味する)も設けられている。
【００２５】
次に、保安領域３００には、メインコントローラー２２０と連結されたゲートウェイ３２０が設けられており、このゲートウェイ３２０は、不審者の侵入を遮断するために、例えばアパートの地下に設けられてもよい。
【００２６】
以下、このような各領域に設けられている構成要素について詳細に説明する。
【００２７】
まず、サブコントローラー(ビデオドアホン)１２０は、ガス、火災、不審者の侵入などを感知するためのセンサー(即ち、ガス感知センサー１６０、熱感知センサー１６１、窓感知センサー１６２など)と連結されていて、異常現象(ガス漏出、火災、不審者の侵入)などによりセンサー１６０、１６１、１６２からの出力が所定の基準値を超過すると、異常信号を発生してメインコントローラー(ロビーホン)２２０に伝達する機能を行う。またこのサブコントローラー１２０は、玄関のドア(図示せず)に設けられたドアベルカメラ１３０から獲得した映像情報をディスプレイすることもできる。
【００２８】
さらに、本発明においては、暗証番号及び/またはＲＦＩＤカードによりロック/解除が可能なデジタルドアロック１４０もサブコントローラー１２０に連結されている。このデジタルドアロック１４０は、メインサーバー４００にロック/解除時間情報を提供することができるため、携帯電話６００またはＰＣ６２０を利用しメインサーバー４００に接続することにより、デジタルドアロック１４０のロック/解除時間情報を確認することができる。また、前記デジタルドアロックは、所定ボタン(例えば、外出警戒モード設定/解除ボタン)をワンタッチで押して外出警戒モードを設定し、またワンタッチで外出警戒モードを解除することができる。
【００２９】
次に、メインコントローラー(ロビーホン)２２０は、サブコントローラー１２０から伝達された異常信号を、ゲートウェイ３２０を通じてメインサーバー４００に伝送する役割を行う。また、このメインコントローラー２２０は、共用玄関のドア(図示せず)に設けられて、暗証番号及び/またはＲＦＩＤカードをこのメインコントローラー２２０に認識させて共用玄関のドアを開閉するようになっており、各世帯ごとに設けられているデジタルドアロックと連動し、暗証番号及び/またはＲＦＩＤカードを共有することができる。即ち、例えば８文字の暗証番号の中で、前の４文字は、メインコントローラーの暗証番号として割り当てて、後ろの４文字は、各世帯別ドアロックの暗証番号として割り当てて使用することができる。
【００３０】
次に、宅配BOX２４０は、宅配BOXに物品が任意の世帯に届けられると、メインコントローラー２２０を通じて該当世帯のサブコントローラーに宅配到着を知らせるメッセージが伝達され、居住者は宅配を確認することができるようになる。また、この宅配BOX２４０も、デジタルドアロック１４０、メインコントローラー２２０と同様に、同じ暗証番号及び/またはＲＦＩＤカード体系で利用することができる。
【００３１】
このように、上記で説明したデジタルドアロックと、メインコントローラーと、宅配BOXとは、一つの暗証番号及び/またはＲＦＩＤカード体系を利用して開閉することができるようになっている。また、暗証番号及び/またはＲＦＩＤカードを紛失した場合は、携帯電話６００またはＰＣ６２０を利用してメインサーバー４００に接続し、所定のメニュー選択を通じて暗証番号の削除及びＲＦＩＤカードの抹消を行うのと同時に新しい暗証番号及び/またはＲＦＩＤカードを発給してもらうことができる。
【００３２】
再び、図１を参照すると、ゲートウェイ３２０は、メインコントローラー２２０をインターネットに接続する連結手段として機能する。
【００３３】
次に、メインサーバー４００は、ゲートウェイ３２０を経てインターネットを通じて伝達された異常信号を収集し、該当世帯の居住者が加入した警備会社のＰＣ５００にインターネットを通じてそれを知らせるか、または外出中の居住者の携帯電話６００及び/またはＰＣ６２０などに知らせることができる。このように、共同住宅の各世帯居住者は、警備会社との専用回線の代わりに、インターネット(ゲートウェイ３２０と警備会社５００間のインターネット)を通じて直接警備会社のＰＣに異常信号を伝達することができるため、より安価な費用でセキュリティーシステムを利用することができると共に、警備会社は、別途の専用回線がなくてもインターネットを通じて共同住宅加入者を収容することができることと、管理センターを設ける必要がないため、警備会社の運用費用を低減することができる。
【００３４】
以下、このようなインターネットを通じた共同住宅のセキュリティーシステムに利用されるセキュリティー方法について、図２を参照し説明する。
【００３５】
図２に示したように、外出時、玄関のドアに設けられたデジタルドアロック１４０の所定ボタンを押して外出警戒モードを設定すると、ガス感知センサー１６０、熱感知センサー１６１、窓感知センサー１６２などの各種センサーが動作するようになる(Ｓ１０)。
【００３６】
次に、外出中に所定センサーから異常信号が感知されると(即ち、段階(Ｓ２０)で“Ｙ”に進むと)、サブコントローラー１２０を通じてメインコントローラー２２０に異常信号が伝達される(Ｓ３０)。ここで、共同住宅に別途の警備室がある場合は、メインコントローラー２２０から警備室のインターホンに、所定世帯から異常現象が発生したことを知らせるメッセージが伝達されるようにしておいてもよい。
【００３７】
次に、メインコントローラー２２０に伝達された異常信号は、ゲートウェイ３２０を経てインターネットを通じてメインサーバー４００に受け付けられる(Ｓ４０)。
【００３８】
最後に、メインサーバー４００は、インターネットを通じて、異常信号の発生した該当世帯の居住者が加入した警備会社のＰＣ５００にこれを知らせると同時に、外出中の居住者の携帯電話６００及び/またはＰＣ６２０にもEメール形で知らせるようになる(Ｓ５０)。
【００３９】
(第２の実施形態)
本発明の第２の実施形態は、第１の実施例で説明したセキュリティー機能の外に、家庭用電子製品を外部から制御できるようなホームオートメーション機能を追加したものであって、居住者が家電製品を外部から直接制御(オン/オフ)できるように、サブコントローラー１２０に家電製品が連結されていることを除いては、第１の実施形態と同様である。
【００４０】
即ち、図３に示したように、本発明の第２の実施形態による共同住宅のホームオートメーション機能付セキュリティーシステムにおいては、各種センサーの外にも多様な電子製品(例えば、ＤＶＤプレーヤー１８０、ビデオプレーヤー１８１、ＴＶ１８２など)が連結されており、外部から使用者の移動通信端末６００またはＰＣ６２０などを通じてメインサーバー４００に接続し、赤外線、電波等を通じて家電製品を直接制御することができる。
【００４１】
以上の実施形態では、共同住宅を例に挙げて説明したが、単独住宅の場合も同様に適用できるということは、この技術分野の当業者なら分かるだろう。即ち、各家庭ごとにゲートウェイを設けて、このゲートウェイをサブコントローラーに直接連結し単独にセキュリティー機能を行うようにすることもできる。
【図面の簡単な説明】
【００４２】
【図１】本発明の第１の実施形態によるインターネットを通じた共同住宅のセキュリティーシステムの構成図である。
【図２】図１に示したセキュリティーシステムに使用されるセキュリティー方法の流れ図である。
【図３】本発明の第２の実施形態によるホームオートメーション機能付セキュリティーシステムの構成図である。
【符号の説明】
【００４３】
１２０・・・・サブコントローラー(ビデオドアホン)
１３０・・・・ドアベルカメラ
１４０・・・・デジタルドアロック
１６０・・・・ガス感知センサー
１６１・・・・熱感知センサー
１６２・・・・窓感知センサー
１８０・・・・ＤＶＤプレーヤー
１８１・・・・ビデオプレーヤー
１８２・・・・ＴＶ
２２０・・・・メインコントローラー(ロビーホン)
２４０・・・・宅配BOX
３２０・・・・ゲートウェイ
４００・・・・メインサーバー
５００・・・・警備会社のＰＣ
６００・・・・携帯電話
６２０・・・・ＰＣ
【図１】
2006031712.tif 000003
【図２】
2006031712.tif 000004
【図３】
2006031712.tif 000005